(57)【特許請求の範囲】
【請求項１】
テレビジョン（以下、ＴＶという）受像機と、このＴＶ受像機に接続され、ＴＶ番組を予約録画する録画装置とを含む予約録画システムにおいて、
前記ＴＶ受像機と前記録画装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され、
前記ＴＶ受像機は、
放送局から配信される番組情報を取得する第１番組情報取得手段と、
前記第１番組情報取得手段を用いて取得した番組情報の内容と、前回取得した番組情報の内容とを比較する番組情報比較手段と、
前記番組情報比較手段による比較の結果、番組情報が一致しないときに、前記録画装置に対して、番組情報が更新されている旨を通知する番組情報更新通知コマンドを送信する番組情報更新通知コマンド送信手段とを備え、
前記録画装置は、
放送局から放送されるＴＶ番組を受信するＴＶ番組受信手段と、
放送局から配信され、ＴＶ番組の放送開始時間を含む番組情報を取得する第２番組情報取得手段と、
前記ＴＶ番組受信手段によって受信されたＴＶ番組を録画可能な録画媒体と、
予約録画を行うＴＶ番組の放送開始時間に対応する録画開始時間を含む予約録画情報を記憶する予約録画情報記憶手段と、
前記ＴＶ番組受信手段によって受信されたＴＶ番組を、前記録画媒体に録画する録画手段と、
前記ＴＶ受像機から送信された前記番組情報更新通知コマンドを受信するための番組情報更新通知コマンド受信手段とを備え、
前記ＴＶ受像機は、前記第１番組情報取得手段によって番組情報を取得した後、前記番組情報比較手段を用いて、取得した番組情報と前回取得した番組情報とを比較し、両者が一致しないとき、前記番組情報更新通知コマンド送信手段を用いて前記番組情報更新通知コマンドを前記録画装置に送信し、
前記録画装置は、該録画装置が待機モードで動作しているときに、前記番組情報更新通知コマンド受信手段を用いて前記番組情報更新通知コマンドを受信すると、該録画装置の動作モードを待機モードから通常モードに切り替えた後、前記第２番組情報取得手段を用いて番組情報を取得し、取得した番組情報内の放送開始時間の情報に基いて、前記予約録画情報記憶手段に記憶されている予約録画を行うＴＶ番組の録画開始時間を更新することを特徴とする予約録画システム。
【請求項２】
前記ＴＶ受像機と前記録画装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項１に記載の予約録画システム。
【発明の詳細な説明】
【技術分野】
【０００１】
本発明は、ＴＶ受像機と、このＴＶ受像機に接続された録画装置とを含む予約録画システムに関する。
【背景技術】
【０００２】
従来から、ハードディスクレコーダ等の録画装置は、主電源がオフの状態、すなわち待機モードで動作しているときに、ＥＰＧ（Ｅｌｅｃｔｒｏｎｉｃ  Ｐｒｏｇｒａｍ  Ｇｕｉｄｅ）情報等の番組情報を取得しないものが多い。従って、録画装置が待機モードのときに、予約録画を行うＴＶ番組（以下、予約録画番組という）の放送開始時間が当初よりも早くなった場合、予約録画番組の放送開始時間から予約録画を行うことができず、録画が失敗することがあるため、ユーザにとって使い勝手が悪いという問題がある。
【０００３】
これに対して、録画装置の主電源を常にオンの状態、すなわち通常モードで動作させて、番組情報を常時取得することにより、予約録画番組の放送開始時間が当初よりも早くなった場合であっても、予約録画開始時間を放送開始時間に応じて早めることにより上記問題を解決する方法が知られている。しかしながら、近年、ユーザによる録画装置に対する節電の要望が多く、上記方法では、録画装置を常に通常モードで動作させなければならないため、節電ができないという新たな問題が生じる。
【０００４】
また、特許文献１には、外部の録画機器を制御する外部機器制御手段を備え、受信した番組情報の内容に応じて予約録画開始時間を更新し、録画開始時間になったときに、既存のＶＴＲ装置等の録画装置の電源を投入して録画動作させる録画予約装置が開示されている。しかしながら、この発明では、ＴＶ番組を予約録画するために、録画装置に加えて、録画予約装置が必要となるため、製造コストを抑制できないという問題がある。
【０００５】
また、特許文献２には、相互に通信可能に接続された複数の機器のうち、１つの機器を、リソースを管理する主機器とし、主機器が番組の放送開始時間の変更を検出して、変更後の予約設定情報を従機器へ送信する機器管理システムが開示されている。しかしながら、このシステムでは、予約録画番組の放送時間が当初よりも早くなった場合に、当初予約録画を行うことになっていた録画装置以外の他の録画装置がなければ、録画対象の番組のうち、当初の放送開始時間よりも前の部分を録画することができない。
【０００６】
また、特許文献３には、１台以上の録画再生装置と、各録画再生装置に接続された録画予約装置とを備え、録画予約装置が放送時間変更を検出し、各録画再生装置に対して時間変更を指示する録画予約システムが開示されている。しかしながら、このシステムでは、ＴＶ番組を予約録画するために、専用の装置である録画予約装置が必要となるため、製造コストを抑制できないという問題がある。
【０００７】
また、特許文献４には、テレビ受像機と、ビデオ録画装置と、該ビデオ録画装置に対して予約録画を指示する受信端末とを備え、受信端末は、受信した番組情報を、先に登録されている予約番組情報と照合して、不一致の場合、番組予約情報を修正するビデオ録画方式が開示されている。しかしながら、このビデオ録画方式では、ＴＶ番組を予約録画するために、専用の装置である受信端末が必要となるため、製造コストを抑制できない。
【０００８】
また、特許文献５には、予約録画時間の前に最新の番組情報を取得し、取得した番組情報と録画予約情報とを比較し、放送日時の変更があった場合に自動的にこれまでの録画予約情報を取り消して、新たな録画予約情報を録画予約機器に対して登録する録画予約補助機構が開示されている。しかしながら、この録画予約補助機構では、予約録画を行うために、録画予約機器に加えて、専用の装置である録画予約補助機構が必要となるため、製造コストを抑制できない。
【先行技術文献】
【特許文献】
【０００９】
【特許文献１】特開平８−１０７５３８号公報
【特許文献２】特開２００５−２６７６１９号公報
【特許文献３】特開２００７−１７３９１８号公報
【特許文献４】特開平６−６２３５７号公報
【特許文献５】特開平１１−２０５７２６号公報
【発明の概要】
【発明が解決しようとする課題】
【００１０】
本発明は、上述した問題点を解決するためになされたものであり、予約録画を行う際のユーザによる使い勝手を良くすると共に、消費電力を低減でき、製造コストを抑制することが可能な予約録画システムを提供することを目的とする。
【課題を解決するための手段】
【００１１】
上記目的を達成するために請求項１の発明は、テレビジョン（以下、ＴＶという）受像機と、このＴＶ受像機に接続され、ＴＶ番組を予約録画する録画装置とを含む予約録画システムにおいて、前記ＴＶ受像機と前記録画装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され、前記ＴＶ受像機は、放送局から配信される番組情報を取得する第１番組情報取得手段と、前記第１番組情報取得手段を用いて取得した番組情報の内容と、前回取得した番組情報の内容とを比較する番組情報比較手段と、前記番組情報比較手段による比較の結果、番組情報が一致しないときに、前記録画装置に対して、番組情報が更新されている旨を通知する番組情報更新通知コマンドを送信する番組情報更新通知コマンド送信手段とを備え、前記録画装置は、放送局から放送されるＴＶ番組を受信するＴＶ番組受信手段と、放送局から配信され、ＴＶ番組の放送開始時間を含む番組情報を取得する第２番組情報取得手段と、前記ＴＶ番組受信手段によって受信されたＴＶ番組を録画可能な録画媒体と、予約録画を行うＴＶ番組の放送開始時間に対応する録画開始時間を含む予約録画情報を記憶する予約録画情報記憶手段と、前記ＴＶ番組受信手段によって受信されたＴＶ番組を、前記録画媒体に録画する録画手段と、前記ＴＶ受像機から送信された前記番組情報更新通知コマンドを受信するための番組情報更新通知コマンド受信手段とを備え、前記ＴＶ受像機は、前記第１番組情報取得手段によって番組情報を取得した後、前記番組情報比較手段を用いて、取得した番組情報と前回取得した番組情報とを比較し、両者が一致しないとき、前記番組情報更新通知コマンド送信手段を用いて前記番組情報更新通知コマンドを前記録画装置に送信し、前記録画装置は、該録画装置が待機モードで動作しているときに、前記番組情報更新通知コマンド受信手段を用いて前記番組情報更新通知コマンドを受信すると、該録画装置の動作モードを待機モードから通常モードに切り替えた後、前記第２番組情報取得手段を用いて番組情報を取得し、取得した番組情報内の放送開始時間の情報に基いて、前記予約録画情報記憶手段に記憶されている予約録画を行うＴＶ番組の録画開始時間を更新するものである。
【００１２】
また、請求項２の発明は、請求項１に記載の予約録画システムにおいて、前記ＴＶ受像機と前記録画装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【発明の効果】
【００１３】
本発明によれば、ＴＶ受像機は、番組情報を取得した後、取得した番組情報と前回取得した番組情報とを比較し、両者が一致しないとき、番組情報更新通知コマンドを録画装置に送信する。そして、録画装置は、待機モードで動作しているときに、番組情報更新通知コマンドを受信すると、録画装置の動作モードを待機モードから通常モードに切り替えた後、番組情報を取得し、取得した番組情報内の放送開始時間の情報に基いて、予約録画を行うＴＶ番組の録画開始時間を更新する。そのため、録画装置は、予約録画を行う際に、予約録画を行うＴＶ番組の放送開始時間が早まった場合であっても、取得した番組情報内の放送開始時間の情報に基いて録画開始時間を更新することができる。従って、予約録画を行うＴＶ番組を確実に録画することができるので、ユーザにとって使い勝手が良い。
【００１４】
また、ＴＶ受像機から送信された番組情報更新通知コマンドを受信したときに、録画装置は、待機モードから通常モードに切り替わるため、常に通常モードで動作する必要がない。そのため、録画装置の消費電力を低減できるので、節電することができる。また、従来と異なり、ＴＶ番組の予約録画を行うために、専用の装置を設ける必要がないので製造コストを抑制することができる。
【図面の簡単な説明】
【００１５】
【図１】本発明の一実施形態に係るＴＶ受像機と、このＴＶ受像機に接続されたＨＤＲとを含む予約録画システムを示す概略構成図。
【図２】上記ＴＶ受像機の内部構成を示すブロック図。
【図３】上記ＨＤＲの内部構成を示すブロック図。
【図４】上記ＴＶ受像機における番組情報通知コマンドの送信処理の手順を示すフローチャート。
【図５】上記ＨＤＲにおける番組情報通知コマンドの受信時の処理の手順を示すフローチャート。
【発明を実施するための形態】
【００１６】
以下、本発明の一実施形態に係る予約録画システムについて、図１乃至図３を参照して説明する。図１は、テレビジョン（以下、ＴＶという）受像機２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたハードディスクレコーダ（以下、ＨＤＲという；請求項における録画装置）３とを含む予約録画システム１の概略構成を示す。図２は、ＴＶ受像機２の内部構成を示し、図３は、ＨＤＲ３の内部構成を示す。
【００１７】
ＴＶ受像機２及びＨＤＲ３は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置であり、それぞれＨＤＭＩ−ＣＥＣ規格に基づくコマンドと、コマンドに対するレスポンスデータとを送受信可能である。
【００１８】
図２に示すように、ＴＶ受像機２は、放送局から放送されるＴＶ放送信号に基づくＴＶ番組を受信するチューナ部２１と、チューナ部２１によって受信されたＴＶ番組やＨＤＲ３から受信したＴＶ番組の映像を表示するディスプレイ２２と、ＴＶ番組の音声を出力するスピーカ２３と、ユーザによって操作されるボタン等を有する操作部２４とを備える。また、ＴＶ受像機２は、自装置２の筐体外部に露出するように設けられたＨＤＭＩ端子部２５と、各種情報が記憶されるメモリ２６と、ＴＶ受像機２の各部を制御するための制御用マイコン２７とをさらに備える。
【００１９】
ＨＤＭＩ端子部２５には、ＨＤＲ３と接続されたＨＤＭＩケーブル４の一端が接続される。メモリ２６には、制御用マイコン２７を動作させるためのプログラム２６ａと、ＥＰＧ情報（番組情報）２６ｂとが記憶される。
【００２０】
制御用マイコン２７は、映像出力部２７ａと、音声出力部２７ｂと、ＥＰＧ情報取得部（第１番組情報取得手段）２７ｃと、ＥＰＧ情報比較部（番組情報比較手段）２７ｄと、通信部（番組情報更新通知コマンド送信手段）２７ｅとを有する。
【００２１】
映像出力部２７ａは、チューナ部２１によって受信されたＴＶ番組の映像や、ＨＤＭＩケーブル４を介してＨＤＲ３から受信されたＴＶ番組の映像をディスプレイ２２に出力する。音声出力部２７ｂは、チューナ部２１によって受信されたＴＶ番組の音声や、ＨＤＭＩケーブル４を介してＨＤＲ３から受信されたＴＶ番組の音声をスピーカ２３に出力する。
【００２２】
ＥＰＧ情報取得部２７ｃは、チューナ部２１によって受信されたＴＶ放送信号に含まれるＥＰＧ情報を取得し、メモリ２６内のＥＰＧ情報２６ｂに格納する。ＥＰＧ情報取得部２７ｃによって取得されたＥＰＧ情報２６ｂには、ＴＶ番組のタイトル名、チャンネル情報、放送開始時間、及び放送終了時間等の情報が含まれる。ＥＰＧ情報比較部２７ｄは、ＥＰＧ情報取得部２７ｃを用いて取得したＥＰＧ情報２６ｂの内容と、前回取得したＥＰＧ情報２６ｂの内容とを比較し、両者が一致するか否かの判断を行う。
【００２３】
通信部２７ｅは、ＨＤＲ３に対してＨＤＭＩ−ＣＥＣ規格に基づくコマンド及びレスポンスデータの送受信を行う。具体的には例えば、通信部２７ｅは、ＥＰＧ情報比較部２７ｄによる比較の結果、取得したＥＰＧ情報２６ｂと、前回取得したＥＰＧ情報２６ｂの内容が一致しないときに、ＨＤＲ３に対して、ＥＰＧ情報２６ｂが更新されている旨を通知する番組情報更新通知コマンドを送信する。番組情報更新通知コマンドは、ＨＤＭＩ−ＣＥＣ規格に基づくコマンドである。
【００２４】
図３に示すように、ＨＤＲ３は、放送局から放送されるＴＶ番組を受信するチューナ部（ＴＶ番組受信手段）３１と、ユーザによって操作されるボタン等を有する操作部３２と、ＨＤＲ３の筐体外部に露出するように設けられたＨＤＭＩ端子部３３と、各種情報を記憶するメモリ（予約録画情報記憶手段）３４とを備える。また、ＨＤＲ３は、ＴＶ番組を録画するハードディスク（請求項における録画媒体；以下、ＨＤＤという）３５と、アクセス部３６と、ＨＤＲ３内の各部の制御を行う制御用マイコン３７とをさらに備える。
【００２５】
ＨＤＭＩ端子部３３には、ＴＶ受像機２と接続されたＨＤＭＩケーブル４の他端が接続される。メモリ３４には、制御用マイコン３７を動作させるためのプログラム３４ａと、予約録画情報３４ｂとが記憶される。
【００２６】
予約録画情報３４ｂには、予約録画を行うＴＶ番組（以下、予約録画番組という）のタイトル名や、チャンネル情報や、録画開始時間や、録画終了時間等を含む情報が格納される。具体的には、例えば、タイトル名「ＡＢＣ番組」、チャンネル情報「Ａチャンネル」、録画開始時間「２０：００」、及び録画終了時間「２１：００」等の情報である。
【００２７】
ＨＤＤ３５は、チューナ部３１によって受信されたＴＶ番組を録画する。アクセス部３６は、ＨＤＤ３５に対してＴＶ番組の書き込みや読み出しを行う。
【００２８】
制御用マイコン３７は、再生処理部３７ａと、録画処理部（録画手段）３７ｂと、ＥＰＧ情報取得部（第２番組情報取得手段）３７ｃと、予約録画情報設定部３７ｄと、通信部（番組情報更新通知コマンド受信手段）３７ｅと、動作モード切替部３７ｆとを有する。また、制御用マイコン３７は、ＨＤＲ３の主電源（図示せず）をオンにして、ＨＤＲ３を通常状態として動作させるように制御する通常モードと、ＨＤＲ３の主電源をオフにして、ＨＤＲ３の消費電力を低減させるように動作させる待機モード等の複数の動作モードを有する。
【００２９】
待機モードの時の制御用マイコン３７は、動作機能が制限された節電状態であり、ＨＤＭＩ端子部３３を介したＣＥＣコマンドの受信や、ユーザによる操作部３２の操作指示の受信や、動作モード切替部３７ｆを用いた動作モードの切り替え処理のみを行うことができる。
【００３０】
再生処理部３７ａは、ＨＤＤ３５に録画されたＴＶ番組の再生を行い、再生されたＴＶ番組の映像信号及び音声信号を、ＨＤＭＩケーブル４を介してＴＶ受像機２に出力する。録画処理部３７ｂは、チューナ部３１によって受信されたＴＶ番組を、アクセス部３６を用いてＨＤＤ３５に録画（書き込み）する。
【００３１】
ＥＰＧ情報取得部３７ｃは、チューナ部３１によって受信されたＴＶ放送信号に含まれるＥＰＧ情報を取得する。ＥＰＧ情報は、ＴＶ番組のタイトル名、チャンネル情報、放送開始時間、及び放送終了時間等の情報を含むものである。
【００３２】
予約録画情報設定部３７ｄは、ユーザによる操作部３２の操作指示や、制御用マイコン３７の命令に基いて、予約録画を行うＴＶ番組のタイトル名や、チャンネル情報や、録画開始時間や、録画終了時間等の予約録画情報３４ｂを設定する。
【００３３】
通信部３７ｅは、ＴＶ受像機２に対してＨＤＭＩ−ＣＥＣ規格に基づくコマンド及びレスポンスデータの送受信を行う。具体的には例えば、通信部３７ｅは、ＴＶ受像機２から送信された番組情報更新通知コマンドの受信を行う。
【００３４】
動作モード切替部３７ｆは、ユーザによる操作指示や、通信部３７ｅを用いて受信されたＣＥＣコマンドの内容に基いて、制御用マイコン３７の動作モードを切り替える処理を行う。
【００３５】
次に、ＴＶ受像機２における番組情報通知コマンドの送信処理について、図４に示すフローチャートを参照して説明する。
【００３６】
ＴＶ受像機２の制御用マイコン２７は、ＥＰＧ情報取得部２７ｃを用いて、ＥＰＧ情報を取得した後（Ｓ１）、ＥＰＧ情報比較部２７ｄを用いて、取得したＥＰＧ情報の内容と、前回取得したＥＰＧ情報２６ｂ、すなわち、メモリ２６に記憶されているＥＰＧ情報２６ｂの内容とを比較する（Ｓ２）。
【００３７】
そして、上記Ｓ２の比較の結果、両者が一致しないとき（Ｓ３でＮＯ）、制御用マイコン２７は、通信部２７ｅを用いて、番組情報更新通知コマンドをＨＤＲ３に送信する（Ｓ４）。具体的には例えば、取得したＥＰＧ情報では、番組タイトル「ＡＢＣ番組」の放送開始時間が「１９：００」であり、前回取得したＥＰＧ情報２６ｂでは、番組タイトル「ＡＢＣ番組」の放送開始時間が「１８：００」である場合、両者の内容は一致しないので（Ｓ３でＮＯに相当）、制御用マイコン２７は、通信部２７ｅを用いて、番組情報更新通知コマンドをＨＤＲ３に送信する（Ｓ４）。
【００３８】
一方、上記Ｓ２の比較の結果、取得したＥＰＧ情報の内容と、前回取得したＥＰＧ情報２６ｂの内容が一致する場合（Ｓ３でＹＥＳ）、上記Ｓ１以降の処理を繰り返す。
【００３９】
次に、ＨＤＲ３における番組情報更新通知コマンドの受信時の処理について、図５に示すフローチャートを参照して説明する。ここでは、ＨＤＲ３が待機モードで動作しているものとする。
【００４０】
まず、ＨＤＲ３の制御用マイコン３７は、通信部３７ｅを用いてＴＶ受像機２から送信された番組情報更新通知コマンドを受信すると（Ｓ１１）、動作モード切替部３７ｆを用いて、動作モードを待機モード（主電源をオフ）から通常モード（主電源をオン）に切り替える（Ｓ１２）。
【００４１】
そして、制御用マイコン３７は、ＥＰＧ情報取得部３７ｃを用いて、ＥＰＧ情報を取得し（Ｓ１３）、予約録画番組の放送開始時間が変更されているか否かを判断し（Ｓ１４）、変更されている場合（Ｓ１５でＹＥＳ）、予約録画情報設定部３７ｄを用いて、予約録画情報３４ｂ内の録画開始時間を更新する（Ｓ１６）。
【００４２】
具体的には例えば、取得したＥＰＧ情報内の番組タイトル「ＡＢＣ番組」の放送開始時間が「１８：００」であり、予約録画情報３４ｂ内の番組タイトル「ＡＢＣ番組」の録画開始時間が「１９：００」である場合（Ｓ１５でＹＥＳに相当）、制御用マイコン３７は、予約録画情報設定部３７ｄを用いて、予約録画情報３４ｂ内の番組タイトル「ＡＢＣ番組」の録画開始時間を「１８：００」に更新する（Ｓ１６に相当）。
【００４３】
そして、制御用マイコン３７は、動作モード切替部３７ｆを用いて、動作モードを通常モード（主電源をオン）から待機モード（主電源をオフ）に切り替える（Ｓ１７）。一方、上記Ｓ１４の判断の結果、予約録画番組の放送開始時間が変更されていない場合（Ｓ１５でＮＯ）、制御用マイコン３７は、上記Ｓ１６の処理を行わないで、上記Ｓ１７の処理を行う。
【００４４】
上述したように、本実施形態に係る予約録画システム１においては、ＴＶ受像機２は、ＥＰＧ情報を取得した後、取得したＥＰＧ情報と前回取得したＥＰＧ情報２６ｂとを比較し、両者が一致しないとき、番組情報更新通知コマンドをＨＤＲ３に送信する。そして、ＨＤＲ３は、待機モードで動作しているときに、番組情報更新通知コマンドを受信すると、ＨＤＲ３の動作モードを待機モードから通常モードに切り替えた後、取得したＥＰＧ情報内の放送開始時間の情報に基いて、予約録画情報３４ｂ内の予約録画番組の録画開始時間を更新する。そのため、ＨＤＲ３は、予約録画を行う際に、予約録画番組の放送開始時間が早まった場合であっても、取得したＥＰＧ情報内の放送開始時間の情報に基いて録画開始時間を更新することができる。従って、予約録画番組を確実に録画することができるので、ユーザにとって使い勝手が良い。
【００４５】
また、ＨＤＲ３は、ＴＶ受像機２から送信された番組情報更新通知コマンドを受信したときに、待機モード（主電源をオフ）から通常モード（主電源をオン）に切り替わるため、常に通常モードで動作する必要がない。そのため、ＨＤＲ３の消費電力を低減できるので、節電することができる。また、従来と異なり、ＴＶ番組の予約録画を行うために、専用の装置を設ける必要がないので製造コストを抑制することができる。
【００４６】
また、ＨＤＲ３に接続されたＴＶ受像機２が、ＨＤＲ３に対して、番組情報更新通知コマンドを送信するので、予約録画システム１は、番組情報更新通知コマンドを送信するための専用の装置を設ける必要がないので、汎用性が高い。
【００４７】
また、ＴＶ受像機２とＨＤＲ３とは、ＣＥＣ規格に従ってコマンドの送受信を行うので、独自プロトコルに対応した専用機器や専用ソフトウェア等の導入コストをかける必要がない。従って、ＴＶ受像機２とＨＤＲ３とを含む予約録画システム１の製造コストを抑制することができる。
【００４８】
なお、本発明は、上記実施形態の構成に限られず、発明の趣旨を変更しない範囲で種々の変形が可能である。例えば、上記実施形態において、請求項における録画装置がＨＤＲである場合の例を示したが、録画装置はこれに限られず、例えばＤＶＤレコーダ等のＴＶ番組を予約録画可能な録画装置であればよい。
【符号の説明】
【００４９】
１  予約録画システム
２  ＴＶ受像機
３  ＨＤＲ（録画装置）
３１  チューナ部（ＴＶ番組受信手段）
３４  メモリ（予約録画情報記憶手段）
３５  ＨＤＤ（録画媒体）
２６ｂ  ＥＰＧ情報（番組情報）
２７ｃ  ＥＰＧ情報取得部（第１番組情報取得手段）
２７ｄ  ＥＰＧ情報比較部（番組情報比較手段）
２７ｅ  通信部（番組情報更新通知コマンド送信手段）
３４ｂ  予約録画情報
３７ｂ  録画処理部（録画手段）
３７ｃ  ＥＰＧ情報取得部（第２番組情報取得手段）
３７ｅ  通信部（番組情報更新通知コマンド受信手段）
【図１】
0005446832.tif 000002
【図２】
0005446832.tif 000003
【図３】
0005446832.tif 000004
【図４】
0005446832.tif 000005
【図５】
0005446832.tif 000006